Podtech/llm-jp-corpus-v4-ja_patent huggingface dataset:
(57)【要約】      （修正有）【課題】人間の口唇の閉鎖操作を容易にするもので、口唇の筋肉の運動により顔面神経支配筋肉を刺激して健康に供する口唇器具を提供する。【解決手段】口唇器具本体１は、各種の合成樹脂によって構成され、且つ該口唇器具本体には、上唇と下唇との内側に位置する略楕円形の内面接合部２と、外側に位置する上下の外面接合部３とより構成され、該内面接合部と該外面接合部とは、底部で連接する連接底部によって断面凹弧状に形成し、該外面接合部には、上下に引張紐７を設けると共に、その基部に強度を維持する略三角状の三角補強片６と、半円補強片を一体に形成した事を特徴としている。【選択図】図１
0003129777.tif 000002
【実用新案登録請求の範囲】
【請求項１】
口唇器具本体は、各種の合成樹脂を以って成形され、該口唇器具本体には、上唇と下唇との内側に位置する略楕円形の内面接合部と外側に位置する上下の外面接合部とより構成し、該内面接合部と該外面接合部とは、底部の連接底部を以って断面凹弧状に形成され、上下の中央部分に操作用の引張紐を装設した口唇器具において、該外面接合部に設けた上下の該引張紐には、基部に強度を維持するための略三角状の三角補強片を一体に装設した事を特徴とする口唇器具。
【請求項２】
請求項１における該引張紐には、基部を中心とした略半円形状の半円補強片を一体に装設した事を特徴とする口唇器具。
【考案の詳細な説明】
【技術分野】
【０００１】  本考案は、人間の口唇の開閉操作によって、口唇の筋肉の運動により顔面神経支配筋肉を刺激して健康を維持する口唇器具において、操作用の引張紐の補強を目的とした口唇器具に関するものである。
【背景技術】
【０００２】  従来この種の口唇器具は、種々散見されているが、操作用の引張紐は、上下方向、左右方向及び左右の斜め上方に引張操作をするものであるが、これ等の操作は、口唇器具を正確に操作しないと口唇自体又は内部に炎症を起こすと云う問題点と、該引張紐の基部が弱体化するため、操作が不安定となる等の問題点があった。
【考案の開示】
【考案が解決しようとする課題】
【０００３】  口唇周辺のリハビリにおいて最も重要である上下方向、左右方向に対して、口唇器具本体が強靭で、確実に引張操作が出来ないと、口唇周辺の粘膜が刺激されて痛み又は炎症等を生ずるものである。
そこで、本考案の目的とする所は、上記の従来の口唇器具における問題点を解決するもので、引張操作で最も重要な引張紐の基部を強固にするために広い基部を設けて補強し、上下、左右等の引張状態を正確に操作し、口唇の周辺の筋肉の痛等による炎症等を防止し、且つ該引張紐の基部の弱体化を防止して全体を強靭化にした口唇器具を提供するものである。
【課題を解決するための手段】
【０００４】  上記目的を達成するために、本考案の口唇器具本体は、各種の合成樹脂を以って略全体を楕円形状に構成され、該口唇器具本体には、上唇と下唇との内側に位置する内面接合部と、外側の上下に位置する外面接合部より構成されている。該内面接合部と該外面接合部とは、連接底部を以って断面凹弧状に形成されて一体化されている。さらに上下の該外面接合部には、各々中央部分に操作用の引張紐を装設したものである。
そして、上記の該外面接合部の上下の相対向する位置に設けた該引張紐の基部に安定と強度を維持するための基部と、該外面接合部との接合面積が大となる略三角状の補強片を装設したものである。
また、同様の目的で、該引張紐との基部を中心として略半円形状の半円補強片を一体に形成したものである。
【考案の効果】
【０００５】  本考案による口唇器具本体によれば、従来のように、上下、左右及び引張り等の運動する時に口唇器具本体が引張方向に対して全体が正確に引張られる事なく変形移動による口唇及び内部の炎症等を防止する効果がある。
そして、外面接合部に設けた上下の引張紐に対して基部に略三角形の補強片を形成したことにより、口唇器具本体を上下、左右、斜め及び引張り等に対する引張り運動において、該口唇器具本体は、全体が各々の方向に対して正確に安定して作動すると云う優れた効果がある。
また、該口唇器具本体の引張紐の基部に設けた略三角形の三角補強片及び半円形状の半円補強片とによって、引張紐は安定して切断することなく強靭化される効果と、相対する該外面接合部が著しく強固となる効果がある。
【考案を実施するための最良の形態】
【０００６】  以上の如く構成されている口唇器具によれば、口唇器具本体（１）の外面接合部（３）（３）を指で持って押し潰した状態で軽く口を開いて外面接合部（３）と内面接合部（２）との左右両端を歯部と口唇との間に挿入して、連接底部（５）に上下の口唇を嵌合し、その後、唇に力を入れて前方に突き出す様に引張紐（７）を以って上下、左右及び前方に引張操作をすることによって、口唇の周囲の顔面神経支配筋肉に刺激を与えて口唇付近の運動機能を正常な状態に鍛錬するものである。
【実施例１】
【０００７】  次に、本考案の実施例を図面について説明すると、図１に示す口唇器具本体（１）は、各種の合成樹脂より成形され、口唇器具本体（１）は、上唇と下唇との内側に挿入される略楕円形を有する内面接合部（２）と、外側の上下に位置する外面接合部（３）（３）とより構成されている。
該内面接合部（２）と該外面接合部（３）（３）とは、図２に示す如く、底部の連接底部（５）（５）を以って上下の唇が嵌合する断面凹弧状が形成されている。次に、相対して位置する該外面接合部（３）（３）には、外周の中央部分に引張操作用の引張紐（７）（７）をを連接して一体に形成される。引張紐（７）（７）には、各々の基部に強度を維持するために略三角形状となる三角補強片（６）（６）を一体に形成してある。該引張紐（７）（７）には、一方の先端には、係合用の挿入部（８）と、他方には、該挿入部（８）が嵌合する嵌入部（９）が形成されている。符号（１０）は、上下の唇が閉じる時に、口唇器具本体（１）が一定の間隔以上には閉じるのを停止する、相対する間隔突起を示すものである。
【実施例２】
【０００８】  また、図５に示すものは、他の実施例を示すもので、該引張紐（７）（７）の各々基部に強度を補強維持するために略半円形状の半円補強片（１１）（１１）を一体に突出形成したものである。
【図面の簡単な説明】
【０００９】
【図１】  本考案の全体を斜面より見た全体斜面図である。
【図２】  同じく本考案の図１の縦断側面図である。
【図３】  本考案の全体の正面図である。
【図４】  同じく本考案の全体の背面図である。
【図５】  本考案の他の実施例を示す正面図である。
【符号の説明】
【００１０】１          口唇器具本体
２          内面接合部
３          外面接合部
５          連接底部
６          三角補強片
７          引張紐
８          挿入部
９          嵌入部
１０        間隔突起
１１        半円補強片
【図１】
0003129777.tif 000003
【図２】
0003129777.tif 000004
【図３】
0003129777.tif 000005
【図４】
0003129777.tif 000006
【図５】
0003129777.tif 000007
(57)【要約】【課題】本体に保持された可動体を手指で可動させることにより、心身の安定化及び潜在能力の活性化を促進させることのできる器具を提供する。【解決手段】可動体１と可動体を保持する本体２と可動体の抜け止め３からなり、トルマリン、ゲルマニウム等で形成された可動体を手指で可動させることにより、心身を安定化させ潜在能力を活性化させる。【選択図】図１
0003129779.tif 000002
【実用新案登録請求の範囲】
【請求項１】
可動体と可動体を可動可能な状態で保持する本体と、本体から可動体が抜けることを防ぐ抜け止めからなり、可動体は、トルマリン、水晶等の鉱物、プラスチック、シリコーン等の合成樹脂、チタン、ステンレス等の金属、ゲルマニウム等の半金属等任意の固体材料より、球形状または球に突起を有する形状または球に孔を有する形状または円柱の平面に突起を有する形状に形成され、この可動体を手指で回転可動、移動可動等可動させることにより、心身の安定化及び潜在能力の活性化を促進させる器具。
【考案の詳細な説明】
【技術分野】
【０００１】本考案は、心身の安定化及び潜在能力の活性化を促進させる器具に関するものである。
【技術背景】
【０００２】人は不安や緊張を感じると心身のバランスを保とうと無意識の内に足を揺する、指先で物を叩くなどの生理的反応をするが、不安や緊張から心身のバランスを保とうとするのに有効な器具はなかった。
【考案の開示】
【考案が解決しようとする課題】
【０００３】本考案は、前記の生理的反応を利用し、効率良く心身を安定化させること、潜在能力を活性化させることを課題とする。
【課題を解決するための手段】
【０００４】本考案は、前記の生理的反応の内、指先を動かすことに着目した。指先を動かすことは脳神経の活性化に有効であることは医学的にも証明され周知のことであり、マイナスイオン効果、遠赤外線効果、磁気効果など身体に有益な効果を有するトルマリンやゲルマニウムやチタン、また、古来より潜在能力を活性化させると言われている水晶などを可動体とし、これを手指で可動させることによって課題を解決しようとするものである。
【考案の効果】
【０００５】指先で可動体を可動させることによって脳神経の活性化、心身の安定化、潜在能力の活性化を促進させる。また、本体にチェーンや皮ひもを設けることでネックレスなどの装飾品としての価値も望める。
【考案を実施するための最良の形態】
【０００６】可動体と可動体を可動可能な状態で保持する本体と、本体から可動体が抜けることを防ぐ抜け止めからなり、可動体は球形状または球に突起を有する形状または球に孔を有する形状または円柱の平面に突起を有する形状で、回転、移動などの可動が可能である。その他の形態として、可動体と可動体を保持する本体と抜け止めからなる構成を基本構成とし、これに吸盤などの接合部材を設け、これをもって、或は、直接的な接着方法をもって、マウス、携帯電話、机などの別体に接合、或は、接着する。また、適宜の任意形状の別体に前記方法をもって基本構成を接合、或は、接着する。
【実施例】
【０００７】  球体加工を施したトルマリン、水晶、シリコーン、ウレタン、チタン、ゲルマニウムなどを可動体１とする。【０００８】  適宜の任意形状に加工された本体２に可動体となる球体が半分ほど収まり、尚且つ、回転、移動などの可動が可能な状態で収まるよう孔加工を施す。【０００９】  本体に可動体を収め、本体から可動体が抜けないよう抜け止め３を設ける。抜け止めは可動体の一部または全周を止める形状にする。【００１０】その他の形態として、可動体と可動体を保持する本体と抜け止めからなる構成を基本構成とし、これに吸盤４などの接合部材を設け、別体５へ接合する。【００１１】可動体と可動体を保持する本体と抜け止めからなる構成を基本構成とし、別体６に孔加工を施し前記の基本構成を埋設する。
【図面の簡単な説明】
【００１２】
【図１】本考案の心身の安定化及び潜在能力の活性化を促進させる器具の一実施例を示す図である。
【図２】本考案の心身の安定化及び潜在能力の活性化を促進させる器具の一実施例を横から見た図である。
【図３】基本構成を別体５に接合した一実施例を示す図である。
【図４】基本構成を別体６に埋設した一実施例を示す図である。
【符号の説明】
【００１３】  １可動体
２本体
３抜け止め
４吸盤
５別体
６別体
【図１】
0003129779.tif 000003
【図２】
0003129779.tif 000004
【図３】
0003129779.tif 000005
【図４】
0003129779.tif 000006
(57)【要約】【課題】濡れたタオルの浸水を片手又は足で容易に押し出せるタオル絞り器を提供する。【解決手段】平板な台座（１）上に支柱（１４）とタオル収容器（２）とを固定し、支柱（１４）の軸（１５）に上下回動可能に取り付けた加圧杆（８）の基端部に設けた足掛け板（１０）を手又は足で押し加圧杆（８）に支持された加圧板（１１）を下げ、タオル収容器（２）の中の可動底板（５）上に置かれた濡れタオル（１９）を加圧し、タオルの絞り水を水抜き孔（４）から排出する。【選択図】図１
0003129773.tif 000002
【実用新案登録請求の範囲】
【請求項１】
台座（１）と、その上に立ち上げた支柱（１４）と、支柱（１４）に軸（１５）で上下回動可能に取り付け、かつバネ付勢に常時起立状態に保持した加圧杆（８）と、加圧杆（８）の基端部に設けた足掛け板（１０）と、台座（１）の上に設置したタオル収容器（２）と、足掛け板（１０）を手で押し又は足で踏んで加圧杆（８）を降下させた時、タオル収容器（２）に入れた濡れたタオル（１９）を加圧する加圧杆（８）に取り付けた加圧板（１１）とより構成し、前記タオル収容器（２）は加圧されたタオルの絞り水を排出する水抜き孔を有している事を特徴とするタオル絞り器。
【考案の詳細な説明】
【技術分野】
【０００１】  本考案は片手又は足でタオルを絞るためのタオル絞り器に関する。
【背景技術】
【０００２】  タオルを絞れない人のためのタオル絞り用具は種々考案されている。（下記特許文献参照）。【０００３】
【特許文献１】登録実用新案第３０６２７７５号広報
【特許文献２】特許公開２００３−１３５８９３号広報
【特許文献３】特許公開２０００−２８３６４８号広報
【考案の開示】
【考案が解決しようとする課題】
【０００４】  上記特許文献他従前の出願は、装置に合わせたタオルの装着や回転動作を必要とする物などが多く、入浴中頻繁に行うには煩雑感がいなめない。単純な動作で絞りの効果が得られる物が望まれる。
【課題を解決するための手段】
【０００５】  本考案は、台座（１）と、その上に立ち上げた支柱（１４）と、支柱（１４）に軸（１５）で上下回動可能に取り付け、かつバネ付勢に常時起立状態に保持した加圧杆（８）と、加圧杆（８）の基端部に設けた足掛け板（１０）と、台座（１）の上に設置したタオル収容器（２）と、足掛け板（１０）を手で押し又は足で踏んで加圧杆（８）を降下させた時、タオル収容器（２）に入れた濡れたタオル（１９）を加圧する加圧杆（８）に取り付けた加圧板（１１）とより構成し、前記タオル収容器（２）は加圧されたタオルの絞り水を排出する水抜き孔を有している事を特徴とするものである。
【考案の効果】
【０００６】  上記構成によれば、左右どちらの手が麻痺していても、又、捩じる動作の困難な人にも容易にタオルの水分を押し出せる。
【考案を実施するための最良の形態】
【実施例】
【０００７】台座支持部（１８）に支持された平板な台座（１）上に固定された支柱（１４）の軸（１５）に上下回動可能に取り付けかつ内蔵のキックバネ（１３）で付勢され加圧杆ストッパー（１６）の位置まで跳ね上がりその状態に保持する加圧杆（８）は、それに支持されるバネ（１２）に取り付けた加圧板（１１）と、基端部に設けた把持杆（９）と足掛け板（１０）とを有する。加圧板（１１）に嵌合する内径と水抜き孔（４）と可動底板（５）とを有するタオル収容器（２）は、加圧板（１１）をタオル収容器（２）の底部に到達可能にする加圧杆（８）の通過用スリット（３）と加圧板（１１）の回動曲線に嵌合する曲がりとがあり、台座に開けた数個の台座水抜き孔（１７）上に固定する。把持杆（９）や足掛け板（１０）を手又は足で押し下げタオル収容器（２）に収容したタオル（１９）を加圧板（１１）と可動底板（５）とで強く挟み可動底板水抜き孔（６）やタオル収容器（２）の水抜き孔（４）からタオルの絞り水を排出し、加圧杆（８）を開放した時、そのタオルが可動底板バネ（７）の付勢で可動底板（５）と共に持ち上がる事を特徴とするタオル絞り器。
【産業上の利用可能性】
【０００８】  本考案は、加圧杆（８）が起立状態を保持し可動底板（５）が持ち上がる状態を保持するのでタオルの出し入れが容易で片麻痺障害者は勿論、捩じる動作に苦痛を感じる人、握力不足をきたした人にも幅広く有効であり、ユニバーサルデザインの入浴用具として商品価値は高い。
【図面の簡単な説明】
【０００９】
【図１】本考案の斜視図である。
【図２】本考案の待機時を示す一部縦断断面図である。
【図３】本考案の使用時を示す一部縦断断面図である。
【図４】本考案のタオル収容器の正面図である。
【図５】本考案のタオル収容器の背面図である。
【符号の説明】
【００１０】  １    台座
２    タオル収容器
３    スリット
４    水抜き孔
５    可動底板
６    可動底板水抜き孔
７    可動底板バネ
８    加圧杆
９    把持杆
１０    足掛け板
１１    加圧板
１２    加圧板バネ
１３    キックバネ
１４    支柱
１５    軸
１６    加圧杆ストッパー
１７    台座水抜き孔
１８    台座支持部
１９    タオル
【図１】
0003129773.tif 000003
【図２】
0003129773.tif 000004
【図３】
0003129773.tif 000005
【図４】
0003129773.tif 000006
【図５】
0003129773.tif 000007
(57)【要約】【課題】  各字枠に書いた文字が、右上がりに並び、かつ詰まったかんじにならないようにする。【解決手段】  本考案の字形補整便箋は、平行な複数本の縦線２と右上がりの複数本の横線３とよりなる字枠１を、一定の間隔を置いて、縦方向と横方向に配置し、かつ各字枠の縦線のうち、その中心にくる線と、横線のうち、その中心に来る線を太く表示したことを特徴とするものである。本考案によれば、各字枠に書いた文字が、水平方向の横並びになり、かつ各字枠を一定の間隔を置いて配置したので、詰まったかんじがなくなり、字形補整するのに役立つ。【選択図】図１
0003129747.tif 000002
【実用新案登録請求の範囲】
【請求項１】
平行な複数本の縦線と右上がりの複数本の横線とよりなる字枠を、一定の間隔を置いて、縦方向と横方向に配置し、かつ各字枠の縦線のうち、その中心にくる線と、横線のうち、その中心にくる線を太く表示したことを特徴とする字形補整便箋。
【考案の詳細な説明】
【技術分野】
【０００１】  本考案は、字形補整便箋に関するものである。
【背景技術】
【０００２】  従来の字形補整便箋では、図２に示すように、太い縦線１１と右上がりの太い横線１２で字枠を作り、各字枠１３に縦目盛線１４と横目盛線１５を入れ、縦目盛線１４と横目盛線１５の中心にくる線を破線１６で示した構成になっている。
【考案の開示】
【考案が解決しようとする課題】
【０００３】    このため各字枠１３に書いた文字が、右上がりに並ぶことになり、かつ詰まったかん  じになる。本考案はこのような欠点を解決することができる字形補整便箋を提供するこ  とを目的とする。
【課題を解決するための手段】
【０００４】  本考案が提供する字形補整便箋は、平行な複数本の縦線と右上がりの複数本の横線とよりなる字枠を一定の間隔を置いて、縦方向と横方向に配置し、かつ各字枠の縦線のうち、その中心にくる線を太く表示したものである。
【考案の効果】
【０００５】  本考案は、上述のような構成としたので、各字枠に書いた文字が、水平方向の横並びになり、かつ各字枠を一定の間隔を置いて配置したので、詰まったかんじがなくなり、字形補整するのに役立つ。
【考案を実施するための最良の形態】
【０００６】  以下、本考案を実施するための最良の形態を実施例によって説明する。
図１は実施例の字形補正便箋の要部を示す。
図において、１は平行な複数本の縦線２と平行な右上がりの複数本の横線３とで構成された字枠である。各字枠１は、一定の間隔で配置されている。各字枠の縦線２のうち、中心にくる線４と横線３のうち、中心にくる線５は、太く表示してある。
このような構成になっているので、各字枠１に書き込んだ文字は、横水平方向に並び、かつ一定の間隔で配置され、詰まったかんじを与えなくなる。
【図面の簡単な説明】
【０００７】
【図１】実施例の字形補整便箋の平面図である。
【図２】従来の字形補整便箋の平面図である。
【符号の説明】
１      字枠
２      縦線
３      横線
４，５  中心にくる線
１１    太い縦線
１２    右上がりの太い横線
１３    字枠
１４    縦目盛線
１５    横目盛線
１６    中心にくる破線
【図１】
0003129747.tif 000003
【図２】
0003129747.tif 000004
(57)【要約】【要約書】【課題】ドライバー、錐などのアタッチメントを必要に応じて交換して使用できる電動工具を提供する。【解決手段】各種の加工具アタッチメントを、その雄駆動軸において、アタッチメント駆動具の駆動軸に脱着可能にした。【選択図】図１
0003129741.tif 000002
【実用新案登録請求の範囲】
【請求項１】
加工具アタッタメントと、その駆動具とよりなり、かつ前記加工具アタッタメントは、その雄駆動軸において、前記駆動具の雌駆動軸に脱着可能にしたことを特徴とする電動工具。
【考案の詳細な説明】
【技術分野】
【０００１】この考案は、電動工具に関するものである。
【背景技術】
【０００２】従来の電動ソーは往復切断工具と駆動具が一体に取り付けられていて、駆動具が往復切断工具の専用駆動具となっている。このため、この駆動具は他のアタッチメント、例えばドライバー、錐切削刃などには使用できないという問題がある。
【考案の開示】
【考案が解決しようとする課題】
【０００３】本発明は、上記問題を解決するためになされたもので、ドライバー、錐などのアタッチメントを必要に応じて交換して使用できる電動工具を提供することを課題とする。
【考案が解決するための手段】
【０００４】上記の課題を解決するために、本発明が提供する電動工具は、各種の加工具アタッチメントを、その雄駆動軸において、アタッチメント駆動具の駆動軸に脱着可能にしたことを特徴とするものである。
【考案の効果】
【０００５】本発明の電動工具は所望の加工具アタッチメントをその駆動具に取り付けて使用できるので、加工具ごとの電動具を揃えなくてもよい。このため安価につくし、持ち運びに便利である。
【考案を実施するための最良の形態】
【０００６】以下実施例を示して本考案の構成と作用について説明する。
【実施例】
【０００７】図１は実施例の電動工具を構成する加工具と駆動具の接続前の状態を示す側面図、図２は加工具と駆動具の接続部の要部側面図、図３接続部の他の態様を示す側面図である。【０００８】図１の加工具アタッチメント１の雄駆動軸３を、駆道具２の雌駆動軸４に装着して使用する。【０００９】雌駆動軸４は、断面が六角形の穴を有し、雄型駆動軸３は断面六角形の軸で前記六角形の穴に挿入される。６は締め付け金具付雌駆動軸で、４の六角軸雄駆動軸及び５の丸軸雄駆動具を装着し使用する。【００１０】加工具アタッチメント１と駆動具２は、図３に示すよう接続することもできる。すなわち、駆動具２の締め付け機能付の雌型駆動軸６に、加工具アタッチメント１の雄型六角駆動軸５を装着することきできる。
【図面の簡単な説明】
【００１１】
【図１】電動工具の分解側面図。
【図２】加工具アタッチメントの駆動具への装着状態を示す要部側面図
【図３】加工具アタッチメントの他の駆動具への装着状態を示す要部側面図
【符号の説明】
【００１２】１    加工具アタッチメント
２    駆動具
３    雄駆動軸
４    雌型駆動軸
５    雄型六角駆動軸
６    締め付け機能付の雌型駆動軸
【図１】
0003129741.tif 000003
【図２】
0003129741.tif 000004
【図３】
0003129741.tif 000005
【手続補正書】
【提出日】平成18年11月17日(2006.11.17)
【手続補正１】
【補正対象書類名】実用新案登録請求の範囲
【補正対象項目名】全文
【補正方法】変更
【補正の内容】
【実用新案登録請求の範囲】
【請求項１】
加工具アタッチメントと、その駆動具とよりなり、かつ前記加工具アタッチメントは、その雄駆動軸において、前記駆動具の雌駆動軸に脱着可能にしたことを特徴とする電動工具。
(57)【要約】【課題】薬の飲み忘れ、定刻の飲み遅れの防止【解決手段】透明な容器に朝、昼、夕、夜、と分けて入れておき、何時でも服用定刻に、その時刻の薬の有無が分かるようにする。【選択図】図２
0003129746.tif 000002
【実用新案登録請求の範囲】
【請求項１】
透明な盃状のカップ数個を重ねたもの
【考案の詳細な説明】
【技術分野】
【０００１】本考案は透明なカップ数個で１日分の薬を分包し、目視しながら薬の服用状態がわかる
【背景技術】
【０００２】薬の飲み忘れが多く又定刻に飲み遅れたりする。
【考案の開示】
【考案が解決しようとする課題】
【０００３】飲み薬の量が服用時いわゆる定刻に有るのかどうか何もせずに一目で分かるようにする
【課題を解決するための手段】
【０００４】透明な容器数個に、朝、昼、夕、夜と朝のうちに分けて入れておけばよい。
【考案の効果】
【０００５】朝、昼、夕、夜、と分包して容器にいれてあり、飲み終わった容器は下部に嵌めていくので、食堂などの見やすいところに置いておくと，何時でも一目瞭然に薬の飲み具合がわかる。
【考案を実施するための最良の形態】
【０００６】朝、昼、夕、夜、を識別するためにカップの底に赤、黄、緑、紺、と色分けしておくとよい。
【実施例】
【０００７】朝は本分包器１の内部底面２に、昼、夕、夜は本分包器と本分包器との隙間３が３箇所できるので、それぞれに薬４を置けばよい。
【図面の簡単な説明】
【０００８】
【図１】本考案の薬分包器の断面図である。
【図２】本考案を実際に使用しているところを断面図で表したものである。
【符号の説明】
【０００９】  １  本分包器の断面図
２  本分包器の内側底面
３  分包器と分包器の間に出来る隙間
４  服用する薬
【図１】
0003129746.tif 000003
【図２】
0003129746.tif 000004
【手続補正書】
【提出日】平成18年11月28日(2006.11.28)
【手続補正１】
【補正対象書類名】実用新案登録請求の範囲
【補正対象項目名】全文
【補正方法】変更
【補正の内容】
【実用新案登録請求の範囲】
【請求項１】
それぞれ分包した飲み薬が入る透明な盃状のカップ数個を重ねた飲み薬分包器。
(57)【要約】【課題】ペットボトルの蓋の上部と下部の間に同心円状に連結部を設けたペットボトルの蓋を提供する。【解決手段】ペットボトルの蓋の上部（１）と蓋の下部（２）の間に同心円状に連結部（３）を設けたことを特徴とする。【選択図】図３
0003129797.tif 000002
【実用新案登録請求の範囲】
【請求項１】
ペットボトルの蓋の上部（１）と蓋の下部（２）の間に同心円状に連結部（３）を設けたペットボトルの蓋。
【考案の詳細な説明】
【技術分野】
【０００１】  本考案はペットボトルの蓋の上部と下部の間に同心円状に連結部を設けたペットボトルの蓋に関するものである。
【背景技術】
【０００２】従来ペットボトルの蓋の上部と下部をつなげてワンタッチで開封出来るものがあった
特開平  ２００４−３０６９８１
【考案の開示】
【考案が解決しようとする課題】
【０００３】  これは製造工程が複雑になるという欠点があった。本考案はこの欠点をなくす為になされたものである。
【課題を解決するための手段】
【０００４】ペットボトルの蓋の上部（１）と蓋の下部（２）の間に同心円状に連結部（３）を設ける。
以上の構成によりなるペットボトルの蓋である。
【考案の効果】
【０００５】連結部が蓋の上部と下部の同心円状にあるため少ない工程で作成することが出来る。
【考案を実施するための最良の形態】
【０００６】以下、本考案の実施例について説明する。
ペットボトルの蓋の上部（１）と蓋の下部（２）の間に連結部（３）をもうける。
本考案は以上のような構成でこれを使用する時は蓋の上部（１）を回転させながら開けていくと連結部（３）がじょじょに蓋の上部（１）と蓋の下部（２）から離れていき最終的に蓋の上部（１）と蓋の下部（２）が連結部（４）のみでつながる。
【図面の簡単な説明】
【０００７】
【図１】本考案の実施中の正面図である。
【図２】本考案の一部を切り欠いた正面図である。
【図３】本考案の正面図である。
【図４】本考案の実施後の正面図である。
【図５】本考案の実施後の平面図である。
【符号の説明】
【０００８】１  ペットボトルの蓋の上部
２  ペットボトルの蓋の下部
３  連結部
４  結合部
【図１】
0003129797.tif 000003
【図２】
0003129797.tif 000004
【図３】
0003129797.tif 000005
【図４】
0003129797.tif 000006
【図５】
0003129797.tif 000007
(57)【要約】      （修正有）【課題】ごみ収集場所に出されたごみ袋等が鳥獣類や風雨から保護され、ごみの散乱を防止でき、街の景観を損ねる事無く、ごみ収集業者の労力を軽減できるごみ収集ボックスを提供する。【解決手段】ごみ収容部３の上面にガイドレール２に沿って開閉するパンタグラフ伸縮機構を備えた蓋体１と、収容部３の底部に傾斜角度可変機能を有するローラー面４と、前面に取り出し開口部５と、上記蓋体１に歯止め機構と取り出し開口部５にロック機構を有する。【選択図】図１
0003129795.tif 000002
【実用新案登録請求の範囲】
【請求項１】
ごみ収容部３の上面にガイドレール２に沿って開閉するパンタグラフ伸縮機構を備えた蓋体１を設け、開いた状態で固定できる歯止め機構６を有し、該ごみ収容部３の底部に傾斜角度可変機能を有するローラー面４を備え、さらに前面にロック機構７を有する取り出し開口部５を備えた事を特徴とするごみ集積ボックスである。
【請求項２】
街の景観を考慮し、本考案の本体装置の外周あるいは外側に装飾または塗装を施した請求項１記載のごみ集積ボックスである。
【考案の詳細な説明】
【技術分野】
【０００１】  この考案は、事業所、公園、施設、或いは自治体等のごみ集積場所に設置され、居住者や事業所から排出されるごみを搬入集積されるためのごみ集積ボックスに関するものである。
【背景技術】
【０００２】  従来より、ごみ集積ボックスはごみ投入者の利便性を考慮して成された物が多くごみ収集業者の利便性を考慮された物が少ない。したがって、ごみ収集業者の労力は計り知れないものがあった。
【特許文献１】特開２０００−３０９４０１
【考案の開示】
【考案が解決しようとする課題】
【０００３】  これは次のような欠点があった。
（イ）集積場所が広いとごみ集収業者の運搬量が増える。
（ロ）集積場所の柵はごみ集収の妨げになる。
（ハ）集積ボックスの容積が大きいと奥まで手が届かない。
（ニ）カラス除けの防具がごみ集収の邪魔になる。
本考案は、以上の欠点を解決するために考案されたものである。
【課題を解決するための手段】
【０００４】  ごみ収容部３の上面にガイドレール２に沿って開閉するパンタグラフ伸縮機構を備えた蓋体１と、該収容部３の底部に傾斜角度可変機能を有するローラー面４と、前面取り出し開口部５と、上記蓋体１に歯止め機構６と、取り出し開口部５に固定する為のロック機構７を有する。本考案は、以上の構成よりなる。
【考案の効果】
【０００５】  集積場所に本考案を設置するとカラスや野良犬に荒らされる事無く、ごみ集収業者の労力の軽減が図れ極めて有効である。
【考案を実施するための最良の形態】
【０００６】ごみ収容部３の上面にパンタグラフ伸縮機構を備えた蓋体１を設ける。ごみ投入者はこの蓋体１を押し上げて搬入する。蓋体１はガイドレール２に沿って開閉し、開かれた状態で固定できる歯止め機構６を有する。ロック解除するとガイドレール２に沿って閉ざされ、挟まれないように隙間を残して終了する。【０００７】ごみ収容部３の底面に傾斜角度可変機能を有するローラー面４を設ける。搬入されたごみは、傾斜角度とローラー回転により取り出し開口部５付近から集積し堆積する。【０００８】ごみ収容部３前面に取り出し開口部５を設ける。通常はロック機構７により施錠されている。ごみ収集業者はこの取り出し開口部のロック解除して開いて回収作業を行う。【０００９】本考案は以上のような構成でこれを使用する時は、ごみの量によりローラー面の傾斜角度を調整すると最後までスムーズにごみを搬出できる。ごみ収集場所に出されたごみ袋等は鳥獣類や風雨から保護され、ごみの散乱を防止できるため、街角の景観を損ねること無く、ごみ収集業者の労力の軽減に貢献できる。
【実施例】
【００１０】  街角や公園、事業所に設置され、前面取り出し開口部５のすぐ横に回収車を横付けすると、ごみの搬出作業だけで回収作業が終了できる。
【産業上の利用可能性】
【００１１】  地方自治団体に一括購入を依頼することにより、ごみ収集に係る経費  労力の削減と、街の美観の維持に貢献できる。
【図面の簡単な説明】
【００１２】
【図１】  本考案を示した斜視図である。
【図２】  本考案の展開斜視図である。
【図３】  本考案の側壁を外し裏面から見た斜視図である。
【符号の説明】
【００１３】      １蓋体
２ガイドレール
３ごみ収容部
４ローラー面
５取り出し開口部
６歯止め機構
７ロック機構
【図１】
0003129795.tif 000003
【図２】
0003129795.tif 000004
【図３】
0003129795.tif 000005
(57)【要約】      （修正有）【課題】従来の自転車では、Ｔ字型のハンドルに既製のカゴを装着して荷物を運んでいた。しかし、カゴの容量に収まらない荷物や、複数の荷物を運ぶのに不便である。また、手提げ袋などをハンドルの端に掛けて運ぼうとすると、バランスが崩れて危険である。【解決手段】ハンドルの左右のグリップ３の間に荷物を掛けることができるフック１と、その下に荷物が収まるスペースを備えたＵ字型のハンドル２を備える。【選択図】図１
0003129800.tif 000002
【実用新案登録請求の範囲】
【請求項１】
ハンドルの左右のグリップの真中に荷物を掛けることのできるフックと、このフックの下に荷物を保持できるスペースを備えた自転車のハンドル。
【考案の詳細な説明】
【技術分野】
【０００１】  本考案は自転車に使用するハンドルに関する。
【背景技術】
【０００２】  従来の自転車では、Ｔ字型のハンドルに既製のカゴを装着して荷物を運んでいた（図３）。
【考案の開示】
【考案が解決しようとする課題】
【０００３】  しかし、カゴの容量に収まらない荷物や、複数の荷物を運ぶのに不便である。また、手提げ袋などをハンドルの端に掛けて運ぼうとすると、バランスが崩れて危険である。
【課題を解決するための手段】
【０００４】  そこで、中心に荷物を掛けることができるフックと、その下に荷物が収まるスペースを備えたＵ字型のハンドルを考案した（図１）。このハンドルにより、買い物カゴや手提げ袋などをバランスよくフックにつり下げることができ、様々な形状の荷物を運ぶのに便利である（図２）。
【考案の効果】
【０００５】  よって、本考案のハンドルにより、従来のように既製のカゴの容量や形状に制限されることなく、荷物にあわせて買い物カゴや手提げ袋など容器を選び、荷物を運ぶことができる。
【考案を実施するための最良の形態】
【０００６】  本考案によるハンドルは、図１に示すように荷物を掛けるメインフックを中心に備え、荷物が複数ある場合に使用するサブフックを両脇に備える。
【図面の簡単な説明】
【０００７】
【図１】  本考案に係るハンドルを正面から見た図である。
【図２】  本考案に係るハンドルの使用例を正面から見た図である。
【図３】  既製のカゴを装着した従来のハンドルの使用例を正面から見た図である。
【符号の説明】
【０００８】  １      メインフック
２      ハンドル
３      グリップ
４      荷物
５      既製のカゴ
【図１】
0003129800.tif 000003
【図２】
0003129800.tif 000004
【図３】
0003129800.tif 000005
(57)【要約】      （修正有）【課題】快適かつ安心感を感じる寝姿勢の保持、脊柱の捩れ防止、使用者自身の体重が接地面にかかることを分散させることを目的にした補助器具を提供すること。【解決手段】二枚の生地を袋状に縫い合わせた後、曲線の縫い目を四本施し、それにより形成される五ヶ所の独立した部分に人間の体型に合わせた使用感の優れた異なった素材を適量充填することによる。【選択図】図３
0003129798.tif 000002
【実用新案登録請求の範囲】
【請求項１】
二枚の布生地を縫い合わせ、袋状にし、さらに内部に縫製を施し仕切られた部分を形成した就寝時使用の補助器具
【請求項２】
５箇所に仕切られた部分に対し充填する内容物の量、材質をかえることにより高さ、硬さの変化をもたせることができる事を特徴とする請求項１に記載の就寝時使用の補助器具
【考案の詳細な説明】
【技術分野】
【０００１】本考案は就寝時に使用する身体に対しての負担軽減を目的とした補助器具である
【背景技術】
【０００２】  就寝時用の補助器具、一般的に単一素材の綿等を充填物とした「抱き枕」が開示されている
【考案の開示】
【考案が解決しようとする課題】
【０００３】この考案の目的は、横向き寝の場合背骨の捩れ防止、加重の分散をする事である
【課題を解決するための手段】
【０００４】請求項１に記載の考案は二枚の生地を縫い合わせたことにより独立した五ヶ所の部分が形成されており、人間の体型にあわせた高さ使用感に対応可能な内容物の選択、分量の調整が可能である
【図面の簡単な説明】
【０００５】
【図１】二枚の布生地を袋状に縫製した後、五箇所の縫製を施した図
【０００６】
【図２】内容物を充填した後、充填口を縫合した図
【０００７】
【図３】使用方法を表す図
【図１】
0003129798.tif 000003
【図２】
0003129798.tif 000004
【図３】
0003129798.tif 000005
(57)【要約】      （修正有）【課題】環境に優しく効率の良い水底敷設用種子付植生マットを提供する。【解決手段】ヤシマットに直径１００ｍｍ程度の穴を配列して水底に光が当たるようにし、海底に居住する生物に逃げ場所を与えている。水草、海草、藻等の種子をヤシマットと同じサイズの穴を開けて重ね合わせた和紙の間に挟み込んでヤシマットの上に張り、その上から麻製ネットを張り、アンカーで水底に固定する。【選択図】図１
0003129793.tif 000002
【実用新案登録請求の範囲】
【請求項１】
ヤシマットの上に水草、海草及び藻等の種子を挟んだ和紙を張り、直径１００ｍｍ程度の穴を配列して海底に敷設し、その上から麻製ネットを張ってアンカーで水底に固定することを特徴とする水底敷設用植生種子付マット。
【考案の詳細な説明】
【技術分野】
【０００１】  本考案は、河川、池、湖沼等における水草や海辺の海草藻場における海草や藻を水底に植生するために使用される敷設用マットに関している。
【背景技術】
【０００２】  水辺の稚魚を育成するためには水草が重要であり、人工的に植生する必要がある。海草が群生しているところを海草藻場といい、海草は海底の砂地に地下茎を這わせて増え、花や種を付ける植物である。海草藻場は、流れが緩やかで、身を隠しやすいため産卵や幼魚の生育の場になっているが、埋め立て、富栄養化、河川からの汚濁水流入等により減少している。
【考案の開示】
【考案が解決しようとする課題】
【０００３】  消滅した水草や海草藻場を甦らせるために水草や海草藻場移植や増設が盛んに取り組まれているが、水草や海草藻場移植実験は移植地と採取地の双方の水草や海草藻場を破壊することがあり、あまりうまくいっていない。水底に水草、海草、藻等の種子をシートで敷設する方法も取られているが、水流や砂、泥等になじめず植生が成功していない。法面で使用する工法と同じように、ヤシマットの上に種を付着したシートを敷き、金網で押さえる方法を取って植生しているケースがあるが、金属の金網が腐蝕すると危険であり、ヤシマットの下の生物は逃げ場所がなくなり自然破壊になる。
【課題を解決するための手段】
【０００４】  水底に水草や海草藻場を増設するために、本考案では全て植物性の素材で構成している。ヤシマットは土に同化するので、水底に敷設するのに最適である。しかし、水底をヤシマットで覆うと、ヤシマットに覆われた水底は光が通らず、その水底に居住する生物の逃げ場所もなくなり、死滅する恐れがあって好ましくない。そこで、逃げ場所を設けるためにヤシマットに直径１００ｍｍ程度の穴を配列し、この穴より光が水底にあたり、生物が表面に出ることができるようにしている。また、水底の土や砂がヤシマットに同化しやすく、植物が根を張るのに適している。
水辺においては水草の種子を、海辺に置いては海底に植生する海草や藻の種子を重ね合わせた和紙の間に挟み込む。和紙にもヤシマットと同じサイズの穴を開け、ヤシマットに穴の位置を合わせて重ね合わせている。
ヤシマットに張った種を挟み込んだ和紙に素材に麻を使用したネットを張り、アンカーで水底に固定している。いずれの素材も自然に還元し、環境汚染を起こさず、海水浴場や海浜公園の親水水路等に敷設しても安全である。ヤシマットの穴を開けた箇所は貝類や砂や泥の下を棲家とする生物の育成に役立ち、安全な隠れ家になる。
【考案の効果】
【０００５】  本考案の効果は下記の通りである。
［イ］効率よく水草、海草及び藻の種子を水底に敷設できる。
［ロ］麻製のネットを使用しているので、海水浴場、海浜公園、干潟等に使用しても安全であり、自然に還元する。
［ハ］ヤシマットと和紙に穴が開いているので、砂や泥が馴染みやすく、生物の出入りを妨げず、隠れ家の提供となる。
［ニ］水草、海草及び藻が水底に根を張りやすい。
［ホ］砂や泥に足を取られなくなる。
【考案を実施するための最良の形態】
【０００６】  本考案になる水草、海草及び藻の水底敷設用種子付植生マットは穴の開いたヤシマットと種子を挟んだ和紙及び麻製のネットを使用している。
【実施例１】  図１で示すようにヤシマット（１）と和紙（２）、（３）には穴（５）が開けてあり、ヤシマット（１）の上に張った和紙（２）、（３）の上から麻のネット（６）を張って砂地や泥地にアンカーで固定する。【０００７】  図２は側面より見た説明図であり、図３は図１のＡ−Ａ‘線に沿った断面図である。ヤシマット（１）の上に種子（４）を挟んだ和紙（２）、（３）を張っている。種子（４）は和紙（２）、（３）に糊で付着することもできる。ヤシマット（１）と和紙（２）、（３）には間隔をおいて穴（５）が開けてあり、水底に光を与えると共に、砂や泥に潜った生物が砂や泥の上に出ることができ、生物の生息環境を損なわないようにしている。【０００８】  図４は本考案の説明図である。本考案になる水底敷設用種子付植生マットは河川、小川、親水公園や海草藻場、干潟等に使用される。海水浴場や親水水路に使用することもでき、従来の環境にあまり変化を与えずに海草や藻を敷設できることに特徴がある。
【産業上の利用可能性】
【０００９】  本考案になる水底敷設用種子付植生マットは池、湖沼、ゴルフ場の人工池、法面等、従来の環境を保全しながら植生したい場所に利用できる。
【図面の簡単な説明】
【００１０】
【図１】本考案の斜視図である。
【図２】本考案の側面より見た説明図である。
【図３】図１のＡ−Ａ’線に沿った断面図である。
【図４】本考案の説明図である。
【符号の説明】
【００１１】        １  ヤシマット
２  和紙
３  和紙
４  種子
５  穴
６  麻製ネット
【図１】
0003129793.tif 000003
【図２】
0003129793.tif 000004
【図３】
0003129793.tif 000005
【図４】
0003129793.tif 000006
(57)【要約】【課題】  簡易に安価でかつ地球にやさしい製法で、皿数や絵柄の変更が楽しめ、また使いやすい「マンカラ」用ゲームボードを提供する。【解決手段】  アルミ缶（缶ビール）の底部を段ボール板にはめ込むことで、豆を取り出しやすいマンカラ用ボードを作製する。ボードを交換することで穴の数を増減でき、絵柄の変更も可能とする。【選択図】図１
0003129726.tif 000002
【実用新案登録請求の範囲】
【請求項１】
アルミ缶（缶ビール）の底部を切り取りマス（皿）としたマンカラ用ボード。
【請求項２】
アルミ缶底部を利用した皿がはめられるように複数の穴を明けた段ボール又は厚紙等を用いたマンカラ用ボード。
【考案の詳細な説明】
【技術分野】
【０００１】  本案は、伝統的ボードゲーム「マンカラ」のゲーム盤作成方法に関するものである。
【背景技術】
【０００２】  アフリカ起源といわれ世界各地で遊ばれているボードゲームである「マンカラ」は、複数のマス（皿）の豆を交替に拾いかつ配りながら、先に多く集めたほうが勝ち、というものである。このため、豆を入れるマス（皿）が彫り込まれた盤には木製のもの等があるが、豆（あずきや黒豆等が適する）を拾いやすくするためには、マスが適度の丸みのある浅い皿状であることが望ましい。
缶ビールの底は適度な浅い皿形状でこれに適している。加工も容易である。
【考案の開示】
【考案が解決しようとする課題】
【０００３】  マンカラ用ボードは、板を削るなどして作成するのが普通であるが、利用者の希望に応じて皿の数を増減したり、盤の色絵柄を変更したりして変化を楽しむことは困難である。自作するとしても、均等なマスで豆を拾いやすく木製のボードを作成することは困難である。
世界的に伝統のあるマンカラゲームを日本でも普及させ、特に子どもたちが手軽に遊べるようにすることは、遊び文化を通じて世界に目を向けさせ将来国際交流にも資することが期待される。そのためには、より簡便に安価に製造することができる必要がある。
【課題を解決するための手段】
【０００４】  缶ビールのアルミ缶底部を切り取り、そのへこみを皿として段ボールなどのボードに埋め込む。
【考案の効果】
【０００５】  材料は空き缶のほか段ボール板であり、皿の数を任意に増減することも段ボールを取り替えるだけで容易である。簡易安価に作成することができる。木材等を使用することなく、リサイクル効果もある。工作用教材として半製品で供給すれば教育効果もある。
【考案を実施するための最良の形態】
【０００６】  半製品として供給する場合、缶ビールの底は自前で調達することも考えられる。アルミ缶を切ることは容易であるが、小児には危険も伴うので、５、６才以上の年齢制限をする必要がある。これを避けるには、組み立てられる形状まで加工した皿を半製品セットとして供給することが必要である。
【図面の簡単な説明】
【０００７】
【図１】  表面斜視図である。
【図２】  側面図である。
【図３】  マス（皿）部品図である。
【符号の説明】
【０００８】  １  マス（皿）（缶ビール底）
２  ボード（段ボール２枚あわせ。１枚目に穴をあけ皿を埋め込む。それを裏から支えるように穴のない２枚目をはりあわせる。）
【図１】
0003129726.tif 000003
【図２】
0003129726.tif 000004
【図３】
0003129726.tif 000005
【手続補正書】
【提出日】平成18年11月18日(2006.11.18)
【手続補正１】
【補正対象書類名】実用新案登録請求の範囲
【補正対象項目名】全文
【補正方法】変更
【補正の内容】
【実用新案登録請求の範囲】
【請求項１】
アルミ缶の底部凹面を利用した皿の形状のマスを用いたマンカラ用ボード。
【請求項２】
アルミ缶の底部凹面を利用した皿の形状のマスがはめられるように複数の丸穴をあけた厚紙を用いたマンカラ用ボード。
(57)【要約】【課題】シーツそのものに様々な機能を持たせることを可能とし、かつベッドメイク作業を軽減化する多機能シーツを提供。【解決手段】シーツの生地を２枚合わせにして中綿を入れキルティング加工を施し、さらにシーツ本体の上下に縫い付けた袋状の布にマットレスならびに布団の上下を押し込むだけで使用できる形状とすることにより、シーツそのものがベッドパットを兼ねる機能を有し、かつマットレスならびに布団の下敷きとなる部位が布状であることから就床者の体重により抑えられズレを防止する機能を有する。このように多機能シーツは傾斜可能なベッド機能にも十分対応できることを特徴とするシーツである。【選択図】図１
0003129725.tif 000002
【実用新案登録請求の範囲】
【請求項１】
（１）シーツ上下の両端部に幅広の布をシーツの横方向に取り付け、袋部を設ける。
（２）シーツの四隅部にあたる袋部に穴を設ける。
【請求項２】
請求項１の幅広の布をシーツの縁に沿って接合したことにより、袋部を裏返すことが可能となった。袋部を裏返すことで、シーツの表裏の二面を同様の目的に使用することが出来ること。
【請求項３】
シーツ生地２枚の間に中綿を入れたキルティング加工としたこと。
【考案の詳細な説明】
【技術分野】
【０００１】  本考案はベッドマット上に敷設するベッドパットとシーツに関する。
【背景技術】
【０００２】  従来、ベッドメイクはベッドマット上に敷設するものにベッドパットがありさらにその上にシーツを用いる。【０００３】  これらはシーツ上の就床者の身体の移動や診療、介護作業によりシーツにたるみが発生しシワがよる状態となる。【０００４】  シーツのシワよりは就床者に不快感を与えまた苦痛となるものであり、診療、介護者が配慮する作業として労力や時間的に大きな負担となっている。
【考案の開示】
【考案が解決しようとする課題】
【０００５】  上述の如く、ベッドメイクをより簡略化しかつ就床者が快適であり介護等の作業にも耐え得るものの開発が待たれるものである。【０００６】  シーツのしわよりを防止し、シーツの取替えが迅速に行え省力化が図られることそれに加えてベッドに傾斜機能を有するものがあり、その様な多様化するベッド機能にも対応する寝具として提供するものである。
【課題を解決するための手段】
【０００７】  上述の目的を達成する考案の多機能シーツは、シーツそのものに様々な機能を持たせるものである。【０００８】  シーツの生地を２枚合せにしてその間に中綿を入れキルティング加工を施し、さらにシーツ本体の上下に縫い付けた袋状の布にマットレスならびに布団の上下を押し込むだけで使用できる。【０００９】  シーツ本体の上下に設けた袋部の四隅に指先作業の可能な穴を開けてシーツ取替え作業の迅速化と作業確認を行うもの。
【考案の効果】
【００１０】  以上説明したように本考案によれば、シーツそのものがベッドパットを兼ねる機能を有しベッドメイクの簡略化が図ることが出来できるものである。【００１１】  シーツ本体の上下の大きな袋部はマットレスや布団と一体となるに十分なものであり、かつマットレスや布団の下敷きとなる袋部の布は就床者の体重圧で抑えられシーツのシワよりとズレを防止する働きを担う。【００１２】  シーツ上下の袋部四隅の穴はシーツ装着作業を迅速に行うことができ、その作業確認と袋部に溜まりやすいごみ等の除去や点検の衛生管理を容易にする。【００１３】  シーツの上下に設けた袋部を裏返し使用するとシーツの表裏の２度使用することができ診療、介護時のシーツ取替え作業を迅速で省力化が図ることができるのでその相乗効果は大きい。【００１４】  さらにシーツ本体をキルティング加工したことで、シーツの感触は柔らかくなり、その厚みと弾力性を有することでシワよりがない。これらは就床者の快適さを増し、ベッドメイク時の作業性を高めるものである。
【考案を実施するための最良の形態】
【００１５】  以下、本考案の実施の形態を図面に基づき詳細に説明する。
【図面の簡単な説明】
【００１６】
【図１】  多機能シーツの全体平面図である。
【図２】  多機能シーツの縦方向の断面図Ａ−Ａである。
【図３】  多機能シーツの横方向袋部の断面図Ｂ−Ｂである。
【図４】  多機能シーツの断面の詳細図Ｃ−Ｃであり、キルティング加工の断面図である。
【符号の説明】
【００１７】  １  シーツ（キルティング加工部）
２  袋部
３  袋部の袋布
４  シーツと袋布の縫い合わせ箇所
５  袋部の作業穴
６  シーツの生地
７  中綿
【図１】
0003129725.tif 000003
【図２】
0003129725.tif 000004
【図３】
0003129725.tif 000005
【図４】
0003129725.tif 000006
【手続補正書】
【提出日】平成18年11月24日(2006.11.24)
【手続補正１】
【補正対象書類名】実用新案登録請求の範囲
【補正対象項目名】全文
【補正方法】変更
【補正の内容】
【実用新案登録請求の範囲】
【請求項１】
シーツそのものに様々な機能を持たせた多機能シーツであって、
シーツ上下の両端部に於いて幅広の布をシーツの縁に沿って取り付けて袋部を設け、その袋部を裏返すことで、シーツの表裏の二面を同様の目的に使用することができる構造を有し、シーツの四隅部にあたる袋部に穴を設けた形状を有することを特徴とする多機能シーツ。
【請求項２】
シーツ生地２枚の間に中綿を入れたキルティング加工としたことを特徴とする請求項１記載の多機能シーツ。